(57)【要約】      （修正有）【課題】機械装置に配設されている操作盤の操作ボタンを直接視認せずとも、操作ボタンの表面に指先を触れさせるだけで、直感的に操作内容を把握することが可能な操作盤とこれを有する機械装置を提供する。【解決手段】マッサージ装置における作動部の動作切り替えを行うための操作ボタン２１，２２，２３，２４，２５，２６を有する操作盤２０であって、島状突部からなる識別子２１Ａ，２３Ａ，２４Ａ，２５Ａ，２６Ａを有する操作ボタン２１，２３，２４，２５，２６と、直線状突部からなる識別子２２Ｂ，２４Ｂ，２５Ｂを有する操作ボタン２２，２４，２５と、を含むことを特徴とする操作盤２０と、これを有するマッサージ装置。【選択図】図５
0003191896.tif 000002
【実用新案登録請求の範囲】
【請求項１】
機械装置における作動部の動作切り替えを行うための操作ボタンを有する操作盤であって、
島状突部からなる識別子を有する１の操作ボタンと、
直線状突部からなる識別子を有する他の操作ボタンと、
を含むことを特徴とする操作盤。
【請求項２】
前記１の操作ボタンおよび前記他の操作ボタンの少なくとも一方は、
前記直線状突部からなる識別子または前記島状突部からなる識別子をさらに含んでいることを特徴とする請求項１記載の操作盤。
【請求項３】
前記１の操作ボタンは前記直線状突部からなる識別子をさらに含むと共に、前記島状突部からなる識別子が前記直線状突部からなる識別子の一方の側に配設されていて、
前記他の操作ボタンは前記島状突部からなる識別子をさらに含むと共に、前記島状突部からなる識別子が前記直線状突部からなる識別子の他方の側に配設されていることを特徴とする請求項１記載の操作盤。
【請求項４】
前記１の操作ボタンによる操作内容に対して、前記他の操作ボタンによる操作内容が逆の操作内容となるように設定されていることを特徴とする請求項３記載の操作盤。
【請求項５】
前記１の操作ボタンおよび前記他の操作ボタンのうち少なくとも一方は、複数の島状突部からなる識別子を含んでいることを特徴とする請求項１〜４のうちのいずれか一項に記載の操作盤。
【請求項６】
前記１の操作ボタンおよび前記他の操作ボタンのうち少なくとも一方は、複数の直線状突部からなる識別子を含んでいることを特徴とする請求項１〜４のうちのいずれか一項に記載の操作盤。
【請求項７】
前記島状突部が円形突部であることを特徴とする請求項１〜６のうちのいずれか一項に記載の操作盤。
【請求項８】
前記円形突部の径寸法がそれぞれ異なることを特徴とする請求項７記載の操作盤。
【請求項９】
作動部と、
該作動部の動作を切り替えするための少なくとも２つの操作ボタンを有する操作盤と、
を有し、
前記操作盤は、請求項１〜８のうちのいずれか一項に記載のものであることを特徴とする機械装置。
【考案の詳細な説明】
【技術分野】
【０００１】
本考案は、操作盤内の操作ボタンの表面に触れるだけで、操作ボタンの操作内容を把握することを可能にした操作盤と、これを有する機械装置に関する。
【背景技術】
【０００２】
家電製品に代表される機械装置の作動部の動作切り替えを行うための操作ボタンに点字を配設することは、すでに広く知られている技術である。このように操作ボタンに点字を配設することで、目が不自由な人であっても、意図した動作結果となるように機械装置を操作することができる。
【先行技術文献】
【非特許文献】
【０００３】
【非特許文献１】株式会社Impress Watch、“視覚障害者向けの総合イベント「サイトワールド2011」-家電Ｗａｔｃｈ”、［ｏｎｌｉｎｅ］、［平成２６年４月３０日検索］、インターネット（ＵＲＬ：http://kaden.watch.impress.co.jp/docs/news/20111111_489864.html）
【考案の概要】
【考案が解決しようとする課題】
【０００４】
非特許文献１に記載されている記事は、主に目が不自由な人に対して、家電製品を操作するためのリモコンの操作ボタンに点字を施した構成等が開示されている。このように操作ボタンに点字を施すことにより、目が不自由な人でも確実に家電製品に代表される機械装置の操作を行うことができるため、好都合である。
【０００５】
非特許文献１には開示されてはいないものの、このような機械装置の中には、マッサージ機のように、使用中における姿勢では、操作ボタンを直接見ることができないものもある。このような機械装置において機械装置のリモコンが手元にない場合には、機械装置の動作の切り替え等を行うためには、機械装置の使用を一旦止めたうえで、操作ボタンの確認やリモコンを手配しなければならず、煩雑であって使い勝手が悪いという課題がある。
【０００６】
このような場合において、点字を理解することができれば、点字が施された操作ボタンを触るだけで動作の切り替え操作を行うこともできる。しかしながら、たとえ操作ボタンに点字が付されていても、点字を理解することができなければ、誤った操作ボタンを作動させてしまうおそれがある。このような操作ボタンの誤操作によって、使用中の機械装置が意図しない動作に切り替わり、事故につながるおそれがあるといった課題もある。
【０００７】
そこで本考案は、機械装置に配設されている操作盤の操作ボタンを直接視認せずとも、操作ボタンの表面に指先を触れさせるだけで、直感的に操作内容を把握することが可能な操作盤とこれを有する機械装置の提供を目的としている。
【課題を解決するための手段】
【０００８】
上記課題を解決するために本考案者は鋭意研究を行った結果、以下の構成に想到した。
すなわち、機械装置における作動部の動作切り替えを行うための操作ボタンを有する操作盤であって、島状突部からなる識別子を有する１の操作ボタンと、直線状突部からなる識別子を有する他の操作ボタンと、を含むことを特徴とする。
【０００９】
これにより、操作盤の操作ボタンを直接見なくても、操作ボタンの表面に配設された島状突部からなる識別子や直線状突部からなる識別子に指先を触れさせるだけで、操作ボタンによる操作内容を把握することができる。このとき使用者が点字を理解していなくても、指先が操作ボタンの異なる形状の突部によりなる識別子に触れた際の明確な感触の相違によって直感的に機械装置の操作結果を把握することができる。
【００１０】
また、前記１の操作ボタンおよび前記他の操作ボタンの少なくとも一方は、前記直線状突部からなる識別子または前記島状突部からなる識別子をさらに含んでいることが好ましい。
【００１１】
これにより、普段点字に触れていない人（点字を理解していない人）であっても、操作ボタンの識別子に触れた際における感触の違いを明確にすることができ、操作盤内に複数個の操作ボタンを配設しても混乱してしまうことがなく、操作ボタンを適切に使い分けすることができる。
【００１２】
また、前記１の操作ボタンは前記直線状突部からなる識別子をさらに含むと共に、前記島状突部からなる識別子が前記直線状突部からなる識別子の一方の側に配設されていて、前記他の操作ボタンは前記島状突部からなる識別子をさらに含むと共に、前記島状突部からなる識別子が前記直線状突部からなる識別子の他方の側に配設されていることが好ましい。
【００１３】
これにより、普段は点字を利用していない人や、指先の感覚が鈍い人であっても、操作ボタンの識別子の状態により操作ボタン内における識別子の配列状態が入れ替わった互いに異なる操作ボタンであることを把握することができ、複数の操作ボタンを適切に使い分けすることができる。
【００１４】
また、前記１の操作ボタンによる操作内容に対して、前記他の操作ボタンによる操作内容が逆の操作内容となるように設定されていることが好ましい。
【００１５】
これにより機械装置の作動部の操作をより直感的に行うことができる。このような構成は、機械装置内の作動部の出力調整を行うための操作ボタンとして特に好適である。
【００１６】
また、前記１の操作ボタンおよび前記他の操作ボタンのうち少なくとも一方は、複数の島状突部からなる識別子を含んでいることが好ましい。
また、前記１の操作ボタンおよび前記他の操作ボタンのうち少なくとも一方は、複数の直線状突部からなる識別子を含んでいることが好ましい。
【００１７】
これらにより操作盤に配設することができる操作ボタンの種類を増やすことができる。
【００１８】
また、前記島状突部が円形突部であることが好ましい。
また、前記円形突部の径寸法がそれぞれ異なることが好ましい。
【００１９】
これらにより操作盤に配設することができる操作ボタンの種類を増やすことができる。
【００２０】
また、作動部と、該作動部の動作を切り替えするための少なくとも２つの操作ボタンを有する操作盤と、を有し、前記操作盤は上記のうちのいずれかに記載されたものであることを特徴とする機械装置である。
【００２１】
これにより、機械装置の使用中において操作ボタンを直接見ることができなくても、操作ボタンの表面に配設された異なる形状の突部からなる識別子に指先を触れさせるだけで、操作ボタンによる機械装置の操作結果を把握することができる。このとき使用者が点字を理解していなくても、操作ボタンにより操作される機械装置の動作を適切に把握することができる。
【考案の効果】
【００２２】
本考案にかかる操作盤およびこれを有する機械装置の構成によれば、直接操作盤の操作ボタンを見ることができなくても、操作ボタンの表面に配設されている異なる形状の突部からなる識別子に指先を触れさせることで、機械装置の作動部の操作内容を把握することができる。これにより機械装置の使用を継続したままの状態で機械装置内の作動部を操作することができると共に、機械装置の操作を適切に行うことができる。
【図面の簡単な説明】
【００２３】
【図１】本実施形態にかかるマッサージ装置の概略構成を示す透視斜視図である。
【図２】本実施形態にかかるマッサージ装置の使用状態図である。
【図３】本実施形態にかかるマッサージ装置の使用状態図である。
【図４】図２および図３に示したマッサージ装置の操作盤部分の拡大正面図である。
【図５】図４に示した操作盤の表面印刷を取り除いた状態を示す正面図である。
【考案を実施するための最良の形態】
【００２４】
以下、本考案にかかる操作盤および本考案にかかる操作盤を備えた機械装置の実施形態について図面に基づいて具体的に説明する。
なお、本実施形態においては、図１〜図３に示すように、機械装置としてマッサージ装置について説明を行うものとする。本考案は、図２および図３に示すマッサージ装置１００のように、使用時における姿勢では操作盤２０を直接確認することが困難な機械装置において特に好適なものである。
【００２５】
図１〜図３に示すように、本実施形態にかかるマッサージ装置１００は、本体１０と本体１０の外表面に配設された操作盤２０と、本体１０に内蔵された第１の作動部としての可動コマ３０および第２の作動部としてのヒータ４０とを有している。本実施形態においては、機械装置としてのマッサージ装置１００に複数の作動部を備える構成例に基づいて説明を行うが、機械装置の作動部は単数であってもよく、作動部の配設数は特に限定されるものではない。
【００２６】
図４に示すように操作盤２０には、複数種類の操作ボタン（１の操作ボタンおよび他の操作ボタン）が配設されている。具体的には、オンオフボタン２１、緊急停止ボタン２２、タッピングを行う可動コマ３０の動作モードを切り替える（変更する）ための動作モード変更ボタン２３、可動コマ３０によるタッピング強度を調整するための一対の強弱調整ボタン２４および２５、ヒータ４０のオンオフを切り替えるヒータオンオフボタン２６が配設されている。なお、点灯部２８には、ヒータ４０がオンの状態時に発光するＬＥＤに代表される発光手段が配設されている。また、ディジタル表示部２９は、可動コマ３０によるタッピングの動作モードおよびタッピング強度のレベルの他、ヒータ４０の温度レベル等を液晶等により表示するものである。
【００２７】
上記の各操作ボタン２１〜２６には、図５に示すように各操作ボタン２１〜２６の表面に島状突部または直線状突部からなる識別子２１Ａ〜２６Ａ等が配設されている。オンオフボタン２１には、オンオフボタン２１の中心位置に島状突部としての円形突部からなる識別子２１Ａが配設されている。緊急停止ボタン２２には、緊急停止ボタンの高さ方向の中心位置に直線状突部からなる識別子２２Ｂが配設されている。動作モード変更ボタン２３には、オンオフボタン２１に配設されている円形突部からなる識別子２１Ａと同じ大きさの円形突部からなる識別子２３Ａが２つ配設されている。
【００２８】
一方の強弱調整ボタン２４には、オンオフボタン２１に配設されている円形突部からなる識別子２１Ａと同じ大きさの円形突部からなる識別子２４Ａと、緊急停止ボタン２２に配設されている直線状突部からなる識別子２２Ｂと同一形状の直線状突部からなる識別子２４Ｂが配設されている。一方の強弱調整ボタン２４においては、一方の強弱調整ボタン２４の中心より上側位置に円形突部からなる識別子２４Ａが配設されていて、一方の強弱調整ボタン２４の中心より下側位置に直線状突部からなる識別子２４Ｂが配設されている。
【００２９】
これを換言すると、同一の操作ボタン内において直線状突部からなる識別子２４Ｂの一方の側に円形突部からなる識別子２４Ａが配設されていることになる。円形突部からなる識別子２４Ａと直線状突部からなる識別子２４Ｂとの離間距離は、少なくとも円形突部からなる識別子２４Ａの径寸法の３倍以上とすることが好ましい。このように一つの操作ボタン内に円形突部からなる識別子２４Ａと直線状突部からなる識別子２４Ｂを配設した際においては、互いを十分に離反させることにより、普段点字を使用していないような使用者（点字を理解していない利用者）であっても、一方の強弱調整ボタン２４に触れた際における指先の感触の相違を明確にすることができる。
【００３０】
他方の強弱調整ボタン２５にも円形突部からなる識別子２５Ａと直線状突部からなる識別子２５Ｂが配設されている。図５からも明らかなように、他方の強弱調整ボタン２５における円形突部からなる識別子２５Ａと直線状突部からなる識別子２５Ｂの配列状態（レイアウト）は、一方の強弱調整ボタン２４における円形突部からなる識別子２４Ａと直線状突部からなる識別子２４Ｂの配列状態（レイアウト）を上下対称にした配列状態（レイアウト）になっている。このように一つの強弱調整ボタン２４，２５内に配設された円形突部からなる識別子２４Ａ，２５Ａと直線状突部からなる識別子２４Ｂ、２５Ｂの配列状態（レイアウト）を対称にすることで、複数個の強弱調整ボタン２４，２５により切り替わる動作が互いに逆の動作となることを使用者に直感的に把握させることができる。
【００３１】
そして、ヒータオンオフボタン２６にはヒータオンオフボタン２６の中心位置に円形突部からなる識別子２６Ａが配設されている。この円形突部からな識別子２６Ａは、オンオフボタン２１に配設した円形突部からなる識別子２１Ａの径寸法に比較して明らかに大径寸法に形成されている。ここではヒータオンオフボタン２６の円形突部からなる識別子２６Ａの径寸法は、オンオフボタン２１の円形突部からなる識別子２１Ａの径寸法の５倍程度とした。なお、ヒータオンオフボタン２６の識別子２６Ａの径寸法は、オンオフボタン２１の識別子２１Ａとは別の操作ボタンであることを使用者に認識させることができればよく、識別子２６Ａの径寸法は識別子２１Ａの径寸法の５倍に限定されるものではない。
【００３２】
本実施形態にかかるマッサージ装置１００の操作盤２０には以上のような作動部の操作を行うための複数種類の操作ボタン２１〜２６が配設されている。そして、これらの操作ボタン２１〜２６の表面には円形突部からなる識別子（２１Ａ，２３Ａ，２４Ａ，２５Ａ，２６Ａ）および直線状突部からなる識別子（２２Ｂ，２４Ｂ，２５Ｂ）のうちの少なくとも一方が配設されている。このような操作ボタン２１〜２６を操作盤２０に配設することにより、マッサージ装置１００の使用中において、使用者が操作盤２０を直接確認できなくても、操作ボタン２１〜２６を指先で触れた際における感覚（触覚）の相違で、適切な操作ボタンを選択することができる。したがって、従来技術では不可能だった、マッサージ装置１００の動作を継続させながらマッサージ装置１００の動作の切り替え操作をすることが可能になった。
【００３３】
以上、表面に島状突部としての円形突部または直線状突部からなる識別子が配設された操作ボタンを有する操作盤２０と、この操作盤２０を有するマッサージ装置１００に基づいて本願考案についての詳細な説明をおこなった。しかしながら、本願考案の技術的範囲は以上の実施形態に限定されるものではなく、考案の要旨を変更しない範囲において各種の改変を施すこともできる。当然ながらこのような形態であっても本願の考案における技術的範囲に属する。
【００３４】
たとえば、マッサージ装置１００の作動部である可動コマ３０によるタッピング強度を調整するための一対の強弱調整ボタン２４，２５は、それぞれの強弱調整ボタン２４，２５に配設した円形突部または直線状突部からなる識別子２４Ａ，２４Ｂ，２５Ａ，２５Ｂが左右方向に対称配列となるように配置した形態を採用することもできる。
【００３５】
また、本実施形態においては操作盤２０に配設した操作ボタン２１〜２６の表面に円形突部からなる識別子（２１Ａ，２３Ａ，２４Ａ，２５Ａ，２６Ａ）や直線状突部からなる識別子（２２Ｂ，２４Ｂ，２５Ｂ）を配設しているが、この形態に限定されるものではない。これらの円形突部または直線状突部からなる識別子は、操作ボタン２１〜２６自体の上端部分の形状に適用したり、操作ボタン２１〜２６の表面を被覆する図示しないカバーに凹凸を付与した形態のいずれの形態であってもよい。要は、使用者が指先で操作盤２０の操作ボタンに触れた際に、指先に凹凸の相違による識別子の触感を明確に異なるものにすることができればよいのである。
【００３６】
また、具体的に例示はしいていないが、同一の操作ボタンに複数の直線状突部からなる識別子を設けることも可能である。
そして、以上の実施形態においては島状突部からなる識別子として円形突部からなる識別子を例示しているが、島状突部からなる識別子は円形突部からなる識別子に限定されるものではない。他の島状突部からなる識別子としては、三角形状突部や他の多角形状突部からなる識別子を採用することも可能である。要は、直線状突部からなる識別子に触れた際の感触と明確に相違する感触を使用者に提供することができればよく、島状突部からなる識別子の具体的な形状は特に限定されるものではない。
【００３７】
また、本実施形態においては、機械装置の一例としてマッサージ装置１００を例示しているが、マッサージ装置１００以外の機械装置にも本考案にかかる操作盤２０を適用することも可能である。
【符号の説明】
【００３８】
１０  本体
２０  操作盤，２１  オンオフボタン，２２  緊急停止ボタン，
２３  動作モード変更ボタン，２４  一方の強弱調整ボタン，
２５  他方の強弱調整ボタン，２６  ヒータオンオフボタン，
２１Ａ，２３Ａ，２４Ａ，２５Ａ，２６Ａ  円形突部からなる識別子（島状突部からなる識別子），
２２Ｂ，２４Ｂ，２５Ｂ  直線状突部からなる識別子
２８  点灯部，２９  ディジタル表示部，
３０  可動コマ（第１の作動部），４０  ヒータ（第２の作動部）
１００  マッサージ装置（機械装置）
【図１】
0003191896.tif 000003
【図２】
0003191896.tif 000004
【図３】
0003191896.tif 000005
【図４】
0003191896.tif 000006
【図５】
0003191896.tif 000007